(57)【要約】【課題】排水管が橋脚の表面に沿って所定角度傾いた際にも、十分安定して排水管を取付可能な取付構造を提供する【解決手段】橋脚用排水管６の取付構造は、橋脚２に設けられた支持部２２Ａと、橋脚用排水管６に設けられた排水管用金具６２とを備え、排水管用金具の回動部６２Ｂの回動面６２Ｂ１は、支持部２２Ａの支持面２２Ａ１に当接する。このため、回動面６２Ｂ１が支持面２２Ａ１と当接しつつ回動するので、回動部６２Ｂが所定角度回動しても排水管６は面にて支持部２２Ａに支持される。したがって、排水管６が橋脚２の壁面に沿って所定角度傾斜する際も橋脚２に安定して取り付けることができる。【選択図】図６
2009174184.tif 000002
【特許請求の範囲】
【請求項１】
橋脚の平面状の表面に複数排水管を取り付ける橋脚用排水管の取付構造であって、
前記橋脚の表面に並んで設けられ、前記排水管を支持する橋脚用金具と、
前記排水管の側部に設けられ、前記橋脚用金具に係合可能な排水管用金具と、を備え、
前記排水管用金具は、前記橋脚用金具に異なる位置で当接可能な下端面を有した
ことを特徴とした橋脚用排水管の取付構造。
【請求項２】
請求項１に記載の橋脚用排水管の取付構造であって、
前記橋脚用金具および前記下端面は、互いに対応して湾曲した
ことを特徴とした橋脚用排水管の取付構造。
【請求項３】
請求項１または請求項２に記載の橋脚用排水管の取付構造であって、
前記橋脚用金具は、前記橋脚との間に所定のスペースが設けられるコ字状本体を備え、
前記排水管用金具は、前記スペースに挿入可能、かつ前記排水管の側部とともに前記コ字状本体を挟持可能な挟持部を有した
ことを特徴とした橋脚用排水管の取付構造。
【請求項４】
請求項３に記載の橋脚用排水管の取付構造であって、
前記橋脚と前記挟持部との間には、前記橋脚と前記挟持部とを互いに離隔する方向に押圧可能な押圧部材を備えた
ことを特徴とした橋脚用排水管の取付構造。
【発明の詳細な説明】
【技術分野】
【０００１】
本発明は、橋脚に複数取り付けられる橋脚用排水管の取付構造に関する。
【背景技術】
【０００２】
従来、高速道路や鉄道等の橋梁上面の雨水等を排水するために、鉛直に複数直列配置して継ぎ合わされ、橋脚に沿って固定された排水管が知られている（例えば、特許文献１参照）。
【０００３】
特許文献１では、橋脚にコ字状本体を有する橋脚用金具を固定し、橋脚用排水管の裏面に排水管用金具を固定し、この排水管用金具と橋脚用金具のコ字状本体とを互いに係合させて橋脚用排水管を橋脚に取り付ける取付構造が開示されている。
【０００４】
【特許文献１】特開２００２−２２０８１４号公報
【発明の開示】
【発明が解決しようとする課題】
【０００５】
ところで、例えば、橋梁上面に雨水等を集水する集水枡が設けられ、集水枡の真下に排水路が設けられていない場合、集水枡に集水された水を排水路に送るためには、軸方向が鉛直方向と交差する状態に排水管を傾斜させて取り付けなければならない。
この場合、特許文献１の構成では、橋脚用排水管を傾けると、コ字状本体と排水管用金具との係合部分が点接触となり、排水管は安定して橋脚に取り付けられないおそれがある。
【０００６】
本発明の目的は、このような点などに鑑みて、排水管が橋脚の表面に沿って所定角度傾いた際に、十分安定して排水管を取付可能な取付構造を提供することである。
【課題を解決するための手段】
【０００７】
本発明の橋脚用排水管の取付構造は、前記橋脚の表面に並んで設けられ、前記排水管を支持する橋脚用金具と、前記排水管の側部に設けられ、前記橋脚用金具に係合可能な排水管用金具と、を備え、前記排水管用金具は、前記橋脚用金具に異なる位置で当接可能な下端面を有したことを特徴とする。
このため、下端面が橋脚用金具と面にて当接しつつ移動するので、排水管用金具が所定角度傾いても排水管は面にて橋脚用金具に支持される。したがって、排水管が橋脚の表面に沿って所定角度傾斜する際にも橋脚に安定して取り付けられる。
そして、排水管の多くは橋脚と材質が異なり熱膨張率も異なることから排水管と橋脚との取付部分がずれる場合がある。この場合、排水管が連続して組み立てられていると、排水管と他の排水管との複数の継ぎ目部分のうち一部の比較的強度が小さい継ぎ目部分に応力が集中するおそれがある。しかしながら、排水管が橋脚の表面に沿って所定角度傾斜することができるので、排水管と他の排水管との継ぎ目部分に応力が集中するという不都合を解消できる。
【０００８】
本発明では、前記橋脚用金具および前記下端面は、互いに対応して湾曲したことが好ましい。このため、橋脚用金具および下端面が互いに対応して湾曲しているので、排水管の角度調整が容易になる。
【０００９】
また、本発明では、前記橋脚用金具は、前記橋脚との間に所定のスペースが設けられるコ字状本体を備え、前記排水管用金具は、前記スペースに挿入可能、かつ前記排水管の側部とともに前記コ字状本体を挟持可能な挟持部を有したことが好ましい。
このため、排水管が所定角度傾斜する際、挟持部は排水管の側部とともにコ字状本体を挟持するので、下端面が橋脚用金具からずれて排水管が脱落するという不都合を防止できる。
【００１０】
そして、本発明では前記橋脚と前記挟持部との間には、前記橋脚と前記挟持部とを互いに離隔する方向に押圧可能な押圧部材を備えたことが好ましい。
橋脚と挟持部との間に間隙が設けられている場合では、挟持部の橋脚側への移動や上下方向への移動により、挟持部がコ字状本体に当接しない場合がある。この場合、橋脚と排水管との取付強度が不十分となるおそれがある。
しかしながら、押圧部材が挟持部をコ字状本体に向かって押圧することで、挟持部が橋脚側に移動することを防止でき、橋脚と排水管との取付強度を高くすることができる。
そして、挟持部がコ字状本体に強く当接するので、排水管の任意の角度での固定が容易になる。
【発明を実施するための最良の形態】
【００１１】
[第一実施形態]
以下、本発明の実施形態を図面に基づいて説明する。図１から図６には、本発明における第一実施形態が示されている。
図１は、第一実施の形態にかかる橋脚用排水管の取付構造が設けられた橋梁の正面図である。図２は、第一実施の形態にかかる橋脚用排水管の取付構造が設けられた橋梁の側面図である。図３は、第一実施の形態にかかる橋脚用排水管の取付構造を示す正面図である。図４は、第一実施の形態にかかる橋脚用排水管の取付構造を示す側面図である。図５は、第一実施の形態にかかる橋脚用排水管の取付構造を示す平面図である。図６は、第一実施の形態にかかる橋脚用排水管の取付構造により取り付けられた複数の橋脚用排水管の正面図である。
【００１２】
図１，２に示すように、橋梁１の橋脚２の上面は高速道路の路面３となっている。この路面３の両側には路肩３Ｓに垂直側壁４が設けられている。また、路面３の両側には路肩３Ｓに沿って、略水平方向に横引管５が延設されている。橋脚２の側面には複数のＦＲＰ製の橋脚用排水管としての角形排水管６が上下に複数並んで配置されている。横引管５および排水管６は、集水枡７によって連通されている。
この橋梁１の路面３に降った雨及び雪が溶けた水が路肩３Ｓの一方の排水管６に流入した後、集水枡７に集まり、水はここから橋脚２の一方の壁面に沿って設けられた橋脚用の排水管６に沿って下方に流れ、排水管６の排出口８を通って橋脚２の下に設けられた溝９に流れる。
【００１３】
図３から図６には排水管の取付構造の詳細な構成が示されている。図３から図５に示すように、橋脚２の橋脚用排水管６を取り付ける箇所には橋脚用金具２１が固定されている。この橋脚用金具２１は、橋脚２に設けられたアンカー２５Ｂと、コ字状本体としてのコ字状金具２２と、コ字状金具２２の両端部に一体形成された取付片部２３と、この取付片部２３をアンカー２５Ｂに取り付けるためのワッシャ２４Ａおよびボルト２４とからなる。このアンカー２５Ｂは、橋脚２の壁面に打ち込むと底部が拡張してこのアンカー２５Ｂがしっかりと橋脚２の壁面に固定されるようになっている。
【００１４】
コ字状金具２２は、橋脚２の壁面から立ち上がるように形成された立ち上がり部２２Ｂと、橋脚２の壁面と所定のスペースＤを介して立ち上がり部２２Ｂの先端部に設けられ、平面が前記橋脚の表面に対向する略平板状の支持部２２Ａとを有する。支持部２２Ａは、橋脚２の壁面と対向する対向面２２Ａ２を有する。コ字状金具２２の両端部に設けられた取付片部２３にはボルト２４が挿通される挿通孔が形成されている。この橋脚用金具２１を橋脚２の壁面に固定する場合、まず、アンカー２５Ｂを橋脚２の壁面に固定し、取付片部２３の挿通孔をアンカー１２の打ち込まれた場所と整列させ、ボルト２４をワッシャ２４Ａを介して挿通孔にねじ込むことによって、橋脚用金具２１を橋脚２の壁面に固定する。
支持部２２Ａは、上端部の略中央が鉛直方向の下方に向かって凹状に湾曲した支持面２２Ａ１を有している。支持面２２Ａ１は、凸状に湾曲した回動部６２Ｂの下端面としての回動面６２Ｂ１に対応して当接可能である。
【００１５】
橋脚用排水管６は、断面長方形（例えば、200mm×100mm）の角パイプであり、その裏面には橋脚用金具２１に係合可能な排水管用金具６１が固定されている。この排水管用金具６１は、排水管６の裏面に平面が略沿って固定された略平板状の排水管用金具６２と、この排水管用金具６２における排水管６側と反対側の平面に一体的に設けられ、コ字状金具２２の支持部２２Ａに当接可能な略平板状の挟持部６３とを備える。
排水管用金具６２は、略三角形状の保持部としての固定部６２Ａと、この固定部６２Ａと一体形成された略円状の回動部６２Ｂと有する。回動部６２Ｂは、周縁部に設けられ支持部２２Ａの支持面２２Ａ１と当接可能な回動面６２Ｂ１を有する。
挟持部６３は、固定部６２Ａと同様の形状を有する固定部６３Ａと、この固定部６３Ａと一体形成された略矩形状の当接部６３Ｂとを有する。当接部６３Ｂの長手方向の長さは、回動部６２Ｂの直径よりも長くなるように形成されている。挟持部６３の固定部６３Ａは、排水管用金具６２の固定部６２Ａを介してビス６４により橋脚用排水管６に固定されている。挟持部６３の当接部６３Ｂは、橋脚用金具２１のスペースＤに遊挿される。
【００１６】
図６に示すように、橋脚用排水管６は上下方向に複数連結可能である。排水管６の下端部には、下側に連結した排水管６の上端部に接続可能なインナーソケット６５が設けられている。このインナーソケット６５の先端部には漏水防止を目的としてゴムパッキン（図示せず）が設けられている。
なお、本実施形態では、このゴムパッキンを省略しても良い。また、上側の排水管６の下端部と下側の排水管６の上端部との間には、必要に応じて第１の間隙が設けられていてもよい。この際、第１の間隙と、インナーソケット６５の先端部と下側の排水管６の上端部との間の第２の隙間とを通って、排水管６の内外に空気が流通する状態になる。すなわち、空気の抜け孔となるので、排水管６の内部で水がスムーズに流れ、排水が良好となる。この場合、抜け孔は排水管６の内部の水が外部に漏水しない状態に形成される。
また、橋脚用排水管６は、その材料として、接続性、強度の側面から見てＦＲＰ（ガラス繊維強化プラスティック）または熱可塑性樹脂成形品が望ましい。また、排水管６は、断面正方形の角筒状に形成されている。
【００１７】
排水管用金具６１と橋脚用金具２１との取付けにあたっては、この排水管用金具６１の回動部６２Ｂと橋脚用金具２１の支持部２２Ａとを互いに係合して橋脚用排水管６を橋脚２に取り付ける。すなわち、回動部６２Ｂの回動面６２Ｂ１が支持部２２Ａの支持面２２Ａ１に当接するように取り付ける。この際、挟持部６３の当接部６３Ｂは、コ字状金具２２のスペースＤに遊挿される。
そして、排水管６が橋脚２の表面に略沿って傾いた際、回動部６２Ｂの回動面６２Ｂ１が支持部２２Ａの支持面２２Ａ１を摺動する。回動面６２Ｂ１が摺動した後も、回動面６２Ｂ１は支持面２２Ａ１に当接する。また、回動部６２Ｂが回動する際、当接部６３Ｂの当接面６３Ｂ１は支持部２２Ａの対向面２２Ａ２を摺動する。
【００１８】
[第一実施形態の効果]
第一実施形態にかかる橋脚用排水管６の取付構造は、橋脚２に設けられたコ字状金具２２と、橋脚用排水管６に設けられた排水管用金具６２の回動部６２Ｂとを備え、回動部６２Ｂの回動面６２Ｂ１は、コ字状金具２２の支持面２２Ａ１に面にて当接する。
このため、回動面６２Ｂ１が支持面２２Ａ１と当接しつつ回動するので、回動部６２Ｂが所定角度回動しても排水管６はコ字状金具２２に支持される。したがって、排水管６が橋脚２の壁面に沿って所定角度傾斜する際も橋脚２に安定して取り付けられる。
【００１９】
また、排水管用金具６１と橋脚用金具２１との取付けにあたっては、支持部２２Ａの上端部に設けられた支持面２２Ａ１に回動面６２Ｂ１を当接させる。
このため、支持面２２Ａ１に回動部６２Ｂを載置するように回動面６２Ｂ１を当接させればよいので、排水管６の取付作業が簡便になる。
【００２０】
排水管６が連続して組み立てられた状態で、熱膨張率の違いにより支持面２２Ａ１と回動面６２Ｂ１とがずれた場合でも、排水管６が橋脚２の表面に沿って所定角度傾斜するで、排水管６と他の排水管６との継ぎ目部分に応力が集中するという不都合を防止できる。
【００２１】
そして、地震等により排水管６が橋脚２の壁面に沿って所定角度傾いた場合でも、排水管６は安定して橋脚２に取り付けられる。このため、排水管６は耐震性を有する。
【００２２】
また、支持面２２Ａ１は円弧状に湾曲した凹状であり、回動面６２Ｂ１は支持面２２Ａ１の凹状に対応した凸状に湾曲している。
このため、支持面２２Ａ１と回動面６２Ｂ１とが互いに対応して湾曲しているので、排水管６の角度調整が容易になる。
【００２３】
そして、支持部２２Ａは、橋脚２の表面から立ち上がって形成された立ち上がり部２２ＢにスペースＤを有して設けられ、排水管用金具６１は、スペースＤに挿入可能、かつ排水管６の側部とともに支持部２２Ａを挟持する挟持部６３を有する。
このため、回動部６２Ｂが回動する際、挟持部６３が排水管６の側部とともに支持部２２Ａを挟持するので、回動部６２Ｂが支持面２２Ａ１からずれて排水管が脱落するという不都合を防止できる。
【００２４】
[第二実施形態]
次に、本発明における第二実施形態を図面に基づいて説明する。図７から図９には、第二実施形態が示されている。
図７は、第二実施形態にかかる橋脚用排水管の取付構造を示す正面図である。図８は、第二実施形態にかかる橋脚用排水管の取付構造を示す側面図である。図９は、第二実施形態にかかる橋脚用排水管の取付構造を示す平面図である。
【００２５】
第一実施の形態では、挟持部６３の当接部６３Ｂは、コ字状金具２２のスペースＤに遊挿されている構成を示したが、第二実施形態では、図７から９に示すように、コ字状金具２２のスペースＤには、橋脚２と挟持部６３とを互いに離隔する方向に押圧する押圧部材としての固定具６６が設けられている。
固定具６６は、両端部が互いに近接するように折り曲げられた断面略Ｕ字状に形成されている。そして、両端部にはそれぞれ係止片６６Ａが設けられている。これら係止片６６Ａは、コ字状金具２２における互いに対向する立ち上がり部２２Ｂの上端部に係止可能である。
そして、排水管６が橋脚２の表面に略沿って傾き、回動部６２Ｂが回動する際には、当接部６３Ｂの当接面６３Ｂ１は支持部２２Ａの対向面２２Ａ２を摺動する。
【００２６】
[第二実施形態の効果]
第二実施形態にかかる橋脚用排水管６の取付構造は、押圧部材としての固定具６６が当接部６３Ｂを支持部２２Ａに向かって押圧するので、当接部６３Ｂが橋脚２側に移動することを防止できる。このため、当接部６３Ｂが支持部２２Ａにさらに強く当接するので、排水管６の任意の角度での固定がさらに容易になる。
また、固定具６６はボルト等を使用していないので、地震災害時等で可動しなければならない場合でも、必要に応じて可動できる。
【００２７】
[実施形態の変形例]
なお、本発明は、上述した実施の形態に限定されるものではなく、本発明の目的を達成できる範囲で以下に示される変形をも含むものである。
図１０は、本発明における一実施の形態にかかる橋脚用排水管の取付構造が設けられた他の橋梁を示す正面図である。
図１０に示すように、橋脚２における、他の橋脚２と対向する壁面に排水管６を設けることもできる。
この場合、排水管６が外部から見えにくくなるので、橋脚２の外観性が向上する。
また、所定の角度で傾斜して設けられた排水管６と他の傾斜角度で設けられた排水管６とを連通させる連通部材６７を設けても良い。連通部材６７は、例えば、く字状、Ｌ字状に折れ曲がっていても良い。
このような連通部材６７を設けることにより、複数連結された排水管を所定の方向に屈曲させて連結することができるので、排水管６を橋脚２に取り付ける際の自由度が向上する。
【００２８】
そして、上下方向に複数排水管６を連結させた場合では、全ての排水管６に固定具６６を設ける必要はなく、例えば、複数連結した排水管６のうち数カ所の排水管６のみに固定具６６を設ける構成でも良い。
例えば、排水管６は、直射日光等により熱膨張・収縮を繰り返すので、インナーソケット６５の動き易い継ぎ目部分に寸法変化による応力が集中するおそれが、数カ所のみ橋脚２と排水管６を固定することで、他の箇所のインナーソケット６５を強制的に可動させ、複数連結された排水管６全体としてはインナーソケット６５を平均的に可動させ、寸法変化、応力の集中を緩和させることができる。
【００２９】
また、前記実施の形態では、支持面２２Ａ１と回動面６２Ｂ１とが互いに対応して湾曲した構成を示したが、支持面２２Ａ１と回動面６２Ｂ１とが互いに対応した多角形状でもよい。
【００３０】
そして、前記実施の形態では、支持部２２Ａは、橋脚２とスペースＤを有して設けられた構成を示したが、例えば、立ち上がり部２２Ｂが設けられず、橋脚２と支持部２２Ａとが当接する構成でもよい。
【００３１】
その他、本発明の実施の際の具体的な構造および手順は、本発明の目的を達成できる範囲で他の構造などに適宜変更できる。
【図面の簡単な説明】
【００３２】
【図１】本発明における一実施の形態にかかる橋脚用排水管の取付構造が設けられた橋梁を示す正面図である。
【図２】本発明における一実施の形態にかかる橋脚用排水管の取付構造が設けられた橋梁を示す側面図である。
【図３】本発明における一実施の形態にかかる橋脚用排水管の取付構造を示す正面図である。
【図４】本発明における一実施の形態にかかる橋脚用排水管の取付構造を示す側面図である。
【図５】本発明における一実施の形態にかかる橋脚用排水管の取付構造を示す平面図である。
【図６】本発明における一実施の形態にかかる橋脚用排水管の取付構造により取り付けられた複数の橋脚用排水管を示す正面図である。
【図７】他の実施形態にかかる橋脚用排水管の取付構造を示す正面図である。
【図８】他の実施形態にかかる橋脚用排水管の取付構造を示す側面図である。
【図９】他の実施形態にかかる橋脚用排水管の取付構造を示す平面図である。
【図１０】本発明における一実施の形態にかかる橋脚用排水管の取付構造が設けられた他の橋梁を示す正面図である。
【符号の説明】
【００３３】
１…………………橋梁
２…………………橋脚
６…………………排水管
２１………………橋脚用金具
２２………………コ字状金具
２２Ａ……………支持部
２２Ａ１…………支持面
６２………………排水管用金具
６２Ｂ……………回動部
６２Ｂ１…………下端面としての回動面
６２Ａ、６３Ａ…固定部
６３………………挟持部
６６………………押圧部材としての固定具
【図１】
2009174184.tif 000003
【図２】
2009174184.tif 000004
【図３】
2009174184.tif 000005
【図４】
2009174184.tif 000006
【図５】
2009174184.tif 000007
【図６】
2009174184.tif 000008
【図７】
2009174184.tif 000009
【図８】
2009174184.tif 000010
【図９】
2009174184.tif 000011
【図１０】
2009174184.tif 000012